(57)【特許請求の範囲】
【請求項１】
梱包ケースに収納される商品の端部に装着する段ボール製の梱包用緩衝体であって、
商品の端部底面を受止め支持する下方支持部と、商品の端部における横側面を受止め支持する側方支持部と、商品の端部における端面を受止め支持する奥端支持部とで囲まれた上向き及び内向きに開放した商品収納凹部を備え、前記奥端支持部の上端には、前記商品収納凹部に収納された商品の端部上面に被さる上方支持部が連設されており、この上方支持部が、前記商品収納凹部を上向きに開放する開放状態と、商品収納凹部に収納された商品に上方から被さる商品支持状態とに切換え可能であり、
前記下方支持部、前記奥端支持部、および、前記上方支持部を一連に本体ピースで構成するとともに、前記側方支持部を別体のサイドピースで構成し、前記本体ピースには、左右一対の前記サイドピースが連結されている、
ことを特徴とする梱包用緩衝体。
【請求項２】
前記上方支持部は、前記奥端支持部の上端に折り曲げ可能に一体連設されており、前記上方支持部が、前記開放状態と前記商品支持状態とに開閉揺動可能である、
請求項１記載の梱包用緩衝体。
【請求項３】
前記上方支持部が、前記商品支持状態から９０度より大きい角度まで揺動開放可能である、
請求項２記載の梱包用緩衝体。
【請求項４】
前記上方支持部の内部に、商品の端部からコードを介して導出された端子を挿入保持する収容空間を備える、
請求項１ないし３のいずれかに記載の梱包用緩衝体。
【請求項５】
前記収容空間を開閉可能とした、
請求項４記載の梱包用緩衝体。
【請求項６】
前記上方支持部の左右内面を受け止めて前記商品支持状態に保持する受け止め支持部を備える、
請求項１ないし５のいずれかに記載の梱包用緩衝体。
【発明の詳細な説明】
【技術分野】
【０００１】
本発明は、梱包ケースに収納される商品の一部に装着されて、衝撃や振動から商品を保護する梱包用緩衝体に関する。
【背景技術】
【０００２】
上記梱包用緩衝体としては、発泡スチロールを型成型したものの他に、リサイクルが容易で安価に提供できる段ボール製のものなど種々提案されており、段ボール製の梱包用緩衝体としては、例えば、特許文献１に示されているように、商品の両端部に梱包用緩衝体をそれぞれ嵌合装着して、梱包ケースに挿入するものが知られている。
【先行技術文献】
【特許文献】
【０００３】
【特許文献１】特開平７−１９１２５号公報
【発明の概要】
【発明が解決しようとする課題】
【０００４】
従来の上記梱包用緩衝体は、商品の両端に、梱包用緩衝体をそれぞれ外嵌装着しなければならず、装着作業が面倒であり、特に商品が重い場合には、装着作業がやりにくいものとなる。
【０００５】
また、梱包ケース外で商品の両端部に梱包用緩衝体を予め外嵌装着した後に、商品を梱包ケースへ落とし込み挿入することになるのであるが、梱包用緩衝体は、商品をがたつきなく梱包ケースに収容保持するために、梱包ケースの両端部に密着して挿入されるよう形成されているので、商品を挿入する際、商品を直接把持して梱包ケースへ挿入しようとすると、装着してある梱包用緩衝体が少しズレ動いても梱包ケースに引っ掛ってうまく挿入できず、また、逆に、装着した梱包用緩衝体を把持して間接的に商品を持上げると、商品に対する梱包用緩衝体のズレ動きを無くすことができる反面、重い商品の場合には持ちにくいものとなる。特に、商品が滑りやすいポリ袋などで包装されていると、把持した梱包用緩衝体に対して商品が滑り動きやすく、取り扱いにくいものとなる。
【０００６】
本発明は、このような実情に着目してなされたものであって、商品への装着が容易であるとともに、梱包ケースへの商品の収納が容易な梱包用緩衝体を提供することを目的とする。
【課題を解決するための手段】
【０００７】
上記目的を達成するために、本発明では次のように構成している。
【０００８】
（１）本発明は、梱包ケースに収納される商品の端部に装着する段ボール製の梱包用緩衝体であって、
商品の端部底面を受止め支持する下方支持部と、商品の端部における横側面を受止め支持する側方支持部と、商品の端部における端面を受止め支持する奥端支持部とで囲まれた上向き及び内向きに開放した商品収納凹部を備え、前記奥端支持部の上端には、前記商品収納凹部に収納された商品の端部上面に被さる上方支持部が連設されており、この上方支持部が、前記商品収納凹部を上向きに開放する開放状態と、商品収納凹部に収納された商品に上方から被さる商品支持状態とに切換え可能であり、
前記下方支持部、前記奥端支持部、および、前記上方支持部を一連に本体ピースで構成するとともに、前記側方支持部を別体のサイドピースで構成し、前記本体ピースには、左右一対の前記サイドピースが連結されている。
【０００９】
この構成によると、商品の梱包に際しては、先ず、梱包ケースの両端内部に、一対の梱包用緩衝体を挿入装填し、それぞれの商品収納凹部を上向き及び内向きに開放させておく。次に、商品を梱包ケースに挿入してその両端部を各梱包用緩衝体の商品収納凹部に落とし込んだ後、開放状態の上方支持部を商品の両端部に上方から被せる。その後、梱包ケースを閉じて封緘等を行うことで梱包が完了する。
【００１０】
この場合、梱包用緩衝体を先に梱包ケースに装着して、上方支持部を開放状態としておき、商品単体を把持して上方から梱包ケース内の商品収納凹部に落とし込んだ後、上方支持部を商品支持状態にすればよく、従来のように、梱包ケース外で商品の両端に梱包用緩衝体をそれぞれ外嵌装着するという面倒な装着作業が不要となる。また、梱包ケースには、商品単体を把持して収納すればよく、梱包用緩衝体を外嵌装着した状態の商品を梱包ケースに収納する従来例に比べて、梱包ケースへの収納作業が容易となり、特に、重い商品やポリ袋で包装された商品でも滑り落とすようなことなくしっかり把持して梱包ケース内の所定位置に収納することができる。
また、本発明によると、本体ピースとサイドピースを別個に組立てることで、下方支持部、奥端支持部、上方支持部、および、側方支持部を、商品の形状や重さに適応した任意の形状、厚さ、剛性にすることが容易となる。
【００１１】
（２）本発明の好ましい実施態様では、前記上方支持部は、前記奥端支持部の上端に折り曲げ可能に一体連設されており、前記上方支持部が、前記開放状態と前記商品支持状態とに開閉揺動可能である。
【００１２】
この構成によると、上方支持部の開閉を簡単かつ速やかに行うことができ、梱包作業を能率よく行うことができる。
【００１３】
（３）上記（２）の実施態様では、前記上方支持部を、前記商品支持状態から９０度より大きい角度まで揺動開放可能としてもよい。
【００１４】
この構成によると、上方支持部を開放状態にしておくことで、商品収納凹部の上方を大きく空けておくことができ、上方支持部に邪魔されることなく容易に商品を商品収納凹部に落とし込み収納することができる。
【００１７】
（４）本発明の他の実施態様では、前記上方支持部の内部に、商品の端部からコードを介して導出された端子を挿入保持する収容空間を備える。
【００１８】
この構成によると、コードや端子をテープなどで止めつける手間なく、固定保持しておくことができる。
【００１９】
（５）上記（４）の実施態様では、前記収容空間を開閉可能としてもよい。
【００２０】
この構成によると、商品をケース内に収納する際、あるいは、梱包を開いて商品を取り出す際に、収容空間を開いて容易にコードや端子を挿抜することができる。
【００２１】
（６）本発明の他の実施態様では、前記上方支持部の左右内面を受け止めて前記商品支持状態に保持する受け止め支持部を備える。
【００２２】
この構成によると、下方支持部から受け止め支持部までの高さを商品の高さと同じ、あるいは、若干低く設定することで、収納された商品の上面に上方支持部が過剰に強く押し当てられることなく、上下にガタつきのない好適な商品収納状態を得ることができる。
【発明の効果】
【００２３】
このように、本発明によれば、梱包用緩衝体を梱包ケースに先に装填してから商品を収納操作するので、従来のように、梱包ケース外で商品の両端に梱包用緩衝体をそれぞれ外嵌装着するという面倒な装着作業が不要になると共に、梱包ケースへの収納作業が容易となる。
【図面の簡単な説明】
【００２４】
【図１】第１実施形態の梱包用緩衝体を梱包ケースへ装填する状態を示す斜視図である。
【図２】商品梱包手順を示す概略断面図である。
【図３】梱包用緩衝体の単体を示す斜視図である。
【図４】梱包用緩衝体の単体を示す斜視図である。
【図５】梱包用緩衝体の単体を示す斜視図である。
【図６】本体ピース及びサイドピースを構成する段ボール素材の展開平面図である。
【図７】本体ピースを構成する段ボール素材の斜視図である。
【図８】本体ピースの組上げ工程を示す斜視図である。
【図９】本体ピースの組上げ工程を示す斜視図である。
【図１０】本体ピースの組上げ工程を示す斜視図である。
【図１１】サイドピースを構成する段ボール素材の斜視図である。
【図１２】サイドピースの組上げ工程を示す斜視図である。
【図１３】サイドピースの組上げ工程を示す斜視図である。
【図１４】サイドピースの組上げ工程を示す斜視図である。
【図１５】組み上がったサイドピースの斜視図である。
【図１６】サイドピースを主ピースに連結する工程の斜視図である。
【図１７】第２実施形態の梱包用緩衝体を示す斜視図ある。
【図１８】第２実施形態の梱包用緩衝体を構成する段ボール素材の展開平面図である。
【図１９】組上げ工程を示す斜視図である。
【図２０】組上げ工程を示す斜視図である。
【図２１】組上げ工程を示す斜視図である。
【図２２】組上げ工程を示す斜視図である。
【図２３】組み上がった梱包用緩衝体の斜視図である。
【発明を実施するための形態】
【００２５】
以下、本発明の実施形態を図面に基づいて説明する。
【００２６】
〔第１実施形態〕
図１〜図１６に、第１実施形態の梱包用緩衝体１が示されている。図１に示すように、この梱包用緩衝体１は、２個を一組として使用するものであり、段ボール製の梱包ケース２の両端内部に２個の梱包用緩衝体１を対向して挿入装填し、収納された商品３の両端部を２個の梱包用緩衝体１で受け止め支持して振動や衝撃から保護する。
【００２７】
梱包用緩衝体１は、段ボールを折って組上げられたものであって、図３〜図５に示すように、商品３の端部底面を受止め支持する下方支持部４と、商品３の端部における左右横側面を受止め支持する側方支持部５と、商品３の両端部における端面を受止め支持する奥端支持部６とで四方から囲まれた上向き及び内向きに開放した商品収納凹部７を備えるとともに、奥端支持部６の上端に、商品収納凹部７に収納された商品３の端部上面に被さる上方支持部８が連設された構造となっている。そして、この上方支持部８は、商品収納凹部７の上方に大きく空ける開放状態と、商品収納凹部７に係入された商品３に上方から被さる商品支持状態に開閉揺動可能となっている。
【００２８】
使用に際しては、図１及び図２（ａ）に示すように、先ず、梱包ケース２の両端内部に、一対の梱包用緩衝体１を向かい合うように挿入装填する。次に、両梱包用緩衝体１の上方支持部８を大きく揺動開放して商品収納凹部７の上方を大きく空けた状態で商品を梱包ケース２に挿入し、図２（ｂ）に示すように、商品３の両端部を各梱包用緩衝体１の商品収納凹部７に落とし込む。次に、図２（ｃ）に示すように、開放状態の上方支持部８を内側に揺動して商品３の両端部に上方から被せる。その後、梱包ケース２の内フラップ２ａ及び外フラップ２ｂを閉じ、必要に応じてテープなどで封緘を行うことで梱包が完了する。
【００２９】
この例では、商品３として、その一端から導出されたコード３ａの先端に端子３ｂを備えた電気機器が例示されており、商品を両梱包用緩衝体１に落とし込んで支持するとともに、開放状態の上方支持部８の内部に形成された収容空間にコード３ａ及び端子３ｂを挿入保持し、その後、上方支持部８を商品支持状態に閉じることで、テープで貼り付け保持するような手間をかけることなくコード３ａ及び端子３ｂを安定して保持することができる。
【００３０】
梱包用緩衝体１は、図１６に示すように、下方支持部４、奥端支持部６、及び、上方支持部８とを一連に備えた本体ピース１１と、側方支持部５を形成する一対のサイドピース１２との３個のピースで構成されており、本体ピース１１に左右一対のサイドピース１２を差込み連結することで梱包用緩衝体１が組上げられる。組み上げられた梱包用緩衝体１では、本体ピース１１とサイドピース１２とが一体となって各支持部４，５，６，８としての機能を果たす。
【００３１】
図６に、本体ピース１１及びサイドピース１２を組上げる段ボール素材Ａ，Ｂの展開状態の平面図が示されている。なお、この例の段ボール素材Ａ，Ｂは、２層構造に構成された強度の高いものが使用される。
【００３２】
図７〜図１０に、本体ピース１１の組上げ工程が、また、図１１〜図１５に、サイドピース１２の組上げ工程が示されている。
【００３３】
（１）図７に示すように所定の形状に型抜きされた段ボール素材Ａは、先ず、その一端側を折り線ａ，ｂを介して、図８に示すように巻き込むように折り曲げ、折り込んだ爪１３を切欠き１４に係合することで、扁平中空の上方支持部８を形成する。
【００３４】
上方支持部８の内部には、商品３から導出されたコード３ａ及び端子３ｂを挿入保持する収容空間１５が備えられている。この収容空間１５は上方支持部８の基端側に開口されるとともに、上方支持部８の内面中央に切込み形成した蓋片１６を折り起こすことで収容空間１５を開くことができ、コード３ａ及び端子３ｂを容易に出し入れすることができ、また、蓋片１６を閉じて切込み縁に係止保持しておくことができる。
【００３５】
（２）次に、図９に示すように、折り線ｃを介して上方支持部８を起立させるとともに、左右端辺に切込み形成してあるブリッジ部１７を折り出し起立させる。
【００３６】
（３）次に、図１０に示すように、段ボール素材Ａの他端部を折り線ｄを介して裏面側に折返し、二重積層構造の下方支持部４を形成する。
【００３７】
（４）他方、図１１に示す展開状態の段ボール素材Ｂは、先ず、その一端側を、折り線ｅ群を介して巻き込むように折り曲げて、図１２に示すように折重ね部１８を形成し、折り出した爪１９を凹部２０に係合することで折り曲げ状態を保持する。
【００３８】
（５）次に、図１３に示すように、段ボール素材Ｂの他端側において、補強部２１を、図１１に示す折り線ｆを介して渦巻き状に折り曲げるとともに、支持片２２を折り線ｇを介して補強部２１の上に折り曲げ、支持片２２から折り出した台形爪２３を補強部２１に形成した台形孔２４に係止することで折り曲げ状態を保持する。
【００３９】
（６）次に、図１４に示すように、折り線ｈを介して段ボール素材Ｂを二つ折りし、上記支持片２２を折重ね部１８に接合し、折重ね部１８から折り出した台形爪２５を支持片側の切欠き２６に係合することで折り曲げ状態を保持する。このようにして組み上がったサイドピース１２が図１５に示される。
【００４０】
（７）上記サイドピース１２における支持片２２にはスリット２７が形成されるとともに、本体ピ−ス１１における下方支持部４にもスリット２８が形成されており、図１６に示すように、これらスリット２７，２８を互いに係合させるように本体ピース１１に左右のサイドピース１２を差込み連結することで、図３に示す梱包用緩衝体が完成する。
【００４１】
このように組み上がった状態では、図１５及び図１６に示すサイドピース１２の傾斜アーム部２９が本体ピース１１の下方支持部４を下方から受け止め支持することになり、下方支持部４に載置された商品３を梱包ケース底面から所定距離浮かした状態で確実に受け止め保持することができる。
【００４２】
また、本体ピース１１における左右のブリッジ部１７の上面が、商品支持状態に閉じられた上方支持部８の受け止め支持部として機能する。この場合、ブリッジ部１７の水平部位にサイドピース１２における支持片２２の上端辺が下方から係合することで、ブリッジ部１７の強度が保持される。
【００４３】
図４に示すように、上方支持部８は、奥端支持部６の上端に、折り線ｉを介して内外に略１８０度の範囲で揺動可能に連設されており、上方支持部８を内方に揺動してブリッジ部１７に乗せつけることで、収納した商品３に被さる商品支持状態となり、これから９０度より大きく外方に揺動することで、商品３を上下に出し入れ可能な開放状態となる。
【００４４】
〔第２実施形態〕
図１７〜図２３に、第２実施形態の梱包用緩衝体１が示されている。
【００４５】
図１７に示すように、この例の梱包用緩衝体１も、上記第１実施形態と同様に、商品３の端部底面を受止め支持する下方支持部４と、商品３の端部における左右横側面を受止め支持する側方支持部５と、商品３の端部における端面を受止め支持する奥端支持部６とで四方から囲まれた上向き及び内向きに開放した商品収納凹部７を備えるとともに、奥端支持部６の上端に、商品収納凹部７に落とし込まれた商品３の端部上面に被さる上方支持部８が連設された構造となっている。そして、この上方支持部８が、商品収納凹部７の上方をに大きく空ける開放状態と、商品収納凹部７に係入された商品３に上方から被さる商品支持状態とに開閉揺動可能となっている。
【００４６】
この例の梱包用緩衝体１は、比較的小型の商品に対応して構成されたものであって、図１８の平面図、図１９の斜視図に示すように型抜きされた１枚の段ボール素材Ｃを折り曲げて組上げられる。
【００４７】
すなわち、先ず、図１９の状態から図２０に示すように、下方支持部４を横長角筒状に折り曲げるとともに、一方の側方支持部５と奥端支持部６を縦向き角筒状に折り曲げ形成し、さらに、図２１に示すように、他方の側方支持部５と奥端支持部６を折り曲げ形成する。
【００４８】
次に、図２２に示すように、上方支持部８を横長角筒状に折り曲げ形成する。上方支持部８は、奥端支持部の上方において、折り線ｊを介して内外に揺動開閉可能であり、収納凹部に落とし込まれた商品３の端部上面に被さる商品支持状態（図２３参照）と、これから略１８０度外方に揺動した開放状態（図１７，図２２参照）とに切換えることができる。
【００４９】
前記側方支持部５と奥端支持部６の上端は同じ高さに揃えられ、閉じ方向に揺動された上方支持部８を支持して商品支持状態に支持する受け止め支持部として機能するよう構成されている。
【００５０】
（他の実施形態）
本発明は、以下のような形態で実施することもできる。
【符号の説明】
【００５３】
１              梱包用緩衝体
２              梱包ケース
３              商品
４              下方支持部
５              側方支持部
６              奥端支持部
７              商品収納凹部
８              上方支持部
１１            本体ピース
１２            サイドピース
１５            収容空間
【図１】
0006004417.tif 000002
【図２】
0006004417.tif 000003
【図３】
0006004417.tif 000004
【図４】
0006004417.tif 000005
【図５】
0006004417.tif 000006
【図６】
0006004417.tif 000007
【図７】
0006004417.tif 000008
【図８】
0006004417.tif 000009
【図９】
0006004417.tif 000010
【図１０】
0006004417.tif 000011
【図１１】
0006004417.tif 000012
【図１２】
0006004417.tif 000013
【図１３】
0006004417.tif 000014
【図１４】
0006004417.tif 000015
【図１５】
0006004417.tif 000016
【図１６】
0006004417.tif 000017
【図１７】
0006004417.tif 000018
【図１８】
0006004417.tif 000019
【図１９】
0006004417.tif 000020
【図２０】
0006004417.tif 000021
【図２１】
0006004417.tif 000022
【図２２】
0006004417.tif 000023
【図２３】
0006004417.tif 000024